(57)【要約】【課題】歯根が磨き易い歯根用歯ブラシを提供することを課題とする。【解決手段】本発明の歯根用歯ブラシ１００は、細長い柄１と、柄１の端部に設けられるヘッド４と、ヘッド４にランダムに配列されて植毛される複数の細長の弾性毛３とを備える歯根用歯ブラシ１００であって、ヘッド４は、柄１の軸Ａに対して略４５度の角度で傾斜するヘッド軸Ｂに沿う細長平板状体であり、弾性毛３の軸Ｃは、ヘッド軸Ｂ方向から視たときに、ヘッド軸Ｂと柄１の軸Ａとを含む平面に対して所定の角度γだけ傾斜する。【選択図】          図２
2017221602.tif 000002
【特許請求の範囲】
【請求項１】
細長い柄と、前記柄の端部に設けられるヘッドと、前記ヘッドに配列されて植毛される複数の細長の弾性毛とを備える歯根用歯ブラシであって、
前記ヘッドは、柄の軸に対して略４５度の角度で傾斜するヘッド軸に沿う細長平板状体であり、
前記弾性毛の軸は、前記ヘッド軸の方向から視たときに、前記ヘッド軸と前記柄の軸とを含む平面に対して所定の角度だけ傾斜することを特徴とする歯根用歯ブラシ。
【請求項２】
前記ヘッドは、前記ヘッド軸の方向から視たときに、前記平面に対して所定の角度だけ傾斜する少なくとも１つの法線を有する傾斜面を備えることを特徴とする請求項１に記載の歯根用歯ブラシ。
【請求項３】
前記弾性毛は、前記傾斜面に対して垂直に設けられることを特徴とする請求項２に記載の歯根用歯ブラシ。
【請求項４】
前記弾性毛は、前記ヘッドの表側面及び前記ヘッドの裏側面の両面に設けられることを特徴とする請求項１から請求項３のいずれか１項に記載の歯根用歯ブラシ。
【請求項５】
前記ヘッドの表側面に設けられた弾性毛の軸方向と、前記ヘッドの裏側面に設けられた弾性毛の軸方向とは、異なることを特徴とする請求項４に記載の歯根用歯ブラシ。
【請求項６】
前記ヘッドの表側面に備わる傾斜面の法線方向と、前記ヘッドの裏側面に備わる傾斜面の法線方向とは、異なることを特徴とする請求項４又は請求項５に記載の歯根用歯ブラシ。
【発明の詳細な説明】
【技術分野】
【０００１】
本発明は、歯根用歯ブラシに関するものである。
【背景技術】
【０００２】
従来から、真っ直ぐな柄の軸端にブラシが設けられた歯ブラシがあるが、この歯ブラシで歯根を磨こうとすると、力を入れすぎた場合に歯茎を傷つけるという問題がある。
また、支持体の一方の軸端を屈曲させた部分に、歯間洗浄体が配置される歯洗浄器具がある（特許文献１）。
しかしながら、このような歯ブラシは、歯間を磨くためのものではあるものの、特に歯根を磨くためのものではなく、上記のような問題やその問題の解決手段については言及されていない。
【先行技術文献】
【特許文献】
【０００３】
【特許文献１】特表２０１４−５０５５６３号公報
【発明の概要】
【発明が解決しようとする課題】
【０００４】
そこで、本発明は、上記問題点に鑑みなされたものであって、歯根が磨き易い歯根用歯ブラシを提供することを目的とする。
【課題を解決するための手段】
【０００５】
上記目的を達成するために、以下の構成によって把握される。
本発明である歯根用歯ブラシは、
（１）細長い柄と、前記柄の端部に設けられるヘッドと、前記ヘッドに配列されて植毛される複数の細長の弾性毛とを備える歯根用歯ブラシであって、前記ヘッドは、柄の軸に対して略４５度の角度で傾斜するヘッド軸に沿う細長平板状体であり、前記弾性毛の軸は、前記ヘッド軸の方向から視たときに、前記ヘッド軸と前記柄の軸とを含む平面に対して所定の角度だけ傾斜する。
【０００６】
（２）上記（１）の構成において、
前記ヘッドは、前記ヘッド軸の方向から視たときに、前記平面に対して所定の角度だけ傾斜する少なくとも１つの法線を有する傾斜面を備える。
【０００７】
（３）上記（２）の構成において、
前記弾性毛は、前記傾斜面に対して垂直に設けられる。
【０００８】
（４）上記（１）から（３）のいずれかの構成において、
前記弾性毛は、前記ヘッドの表側面及び裏側面の両面に設けられる。
【０００９】
（５）上記（４）の構成において、
前記ヘッドの表側面に設けられた弾性毛の軸方向と、前記ヘッドの裏側面に設けられた弾性毛の軸方向とは、異なる。
【００１０】
（６）上記（４）又は（５）の構成において、
前記ヘッドの表側面に備わる傾斜面の法線方向と、前記ヘッドの裏側面に備わる傾斜面の法線方向とは、異なる。
【発明の効果】
【００１１】
本発明によれば、歯根が磨き易い歯根用歯ブラシを提供できる。
【図面の簡単な説明】
【００１２】
【図１】実施形態に係る歯ブラシの平面図である。
【図２】実施形態に係る歯ブラシの正面図である。
【図３】実施形態に係る歯ブラシの底面図である。
【図４】図２におけるα−α矢視図である。
【発明を実施するための形態】
【００１３】
以下、図面を参照して本発明を実施するための形態（以下、実施形態）について詳細に説明する。なお、以下の説明において、柄１の軸Ａに対してヘッド軸Ｂが傾斜する方向を表とし、その反対を裏と呼ぶ。
【００１４】
（実施形態）
図１は第１実施形態に係る歯ブラシの平面図であり、図２は同正面図であり、図３は同底面図であり、図４は図２おけるα−α矢視図である。
【００１５】
図２に示すように、歯根用歯ブラシ１００は、主に歯根を磨くものであり、細長い柄１と、柄１の端部に設けられるヘッド４と、ヘッド４に配列されて植毛される複数の細長の弾性毛３とを備える。
【００１６】
柄１は、断面が扁平で、全体が長細い棒状体であり、柄１の一端側にある柄本体１１と、柄１の他端側にあり、柄本体１１の長手方向の軸Ａに対して折曲部２で略４５度に折れ曲がってヘッド軸Ｂに沿って延在する延在部１２と、柄本体１１と折曲部２との間にあるネック部１３と、ネック部１３と柄本体１１との間にあり、柄１の表側面に設けられた滑り止め凸部１４と、柄１の裏側面に設けられた滑り止め凹部１５と、を備える。
【００１７】
ヘッド４は、延在部１２に連なり、柄１の軸Ａに対して略４５度の角度で傾斜するヘッド軸Ｂに沿う細長平板状体であり、ヘッド４の表側面及び裏側面には弾性毛３が植毛されている。
【００１８】
図４に示すように、ヘッド４の表側面には傾斜面４ａがあり、傾斜面４ａの法線方向の軸Ｃは、ヘッド軸Ｂ方向から視たときに、ヘッド軸Ｂと柄１の軸Ａとが成す平面に対して所定の角度γだけ傾斜している。つまり、ヘッド４の表側面には、ヘッド軸Ｂと柄１の軸Ａとが成す平面に垂直な面に対して、角度γのテーパが設けられる。
そして、傾斜面４ａには弾性毛３ａが植毛されており、弾性毛３ａは、傾斜面４ａに対して垂直に設けられ、弾性毛３ａの軸Ｃは、傾斜面４ａの法線方向の軸Ｃと一致しており、ヘッド軸Ｂ方向から視たときに、ヘッド軸Ｂと柄１の軸Ａとを含む平面に対して所定の角度γだけ傾斜している。
【００１９】
また、ヘッド４の裏側面にも傾斜面４ｂがあり、傾斜面４ｂの法線方向の軸Ｄは、ヘッド軸Ｂ方向から視たときに、ヘッド軸Ｂと柄１の軸Ａとが成す平面に対して所定の角度δだけ傾斜している。つまり、ヘッド４の裏側面には、ヘッド軸Ｂと柄１の軸Ａとが成す平面に垂直な面に対して、角度δのテーパが設けられる。
そして、傾斜面４ｂには弾性毛３ｂが植毛されており、弾性毛３ｂは、傾斜面４ｂに対して垂直に設けられ、弾性毛３ｂの軸Ｄは、傾斜面４ｂの法線方向の軸Ｄと一致しており、ヘッド軸Ｂ方向から視たときに、ヘッド軸Ｂと柄１の軸Ａとを含む平面に対して所定の角度δだけ傾斜している。
【００２０】
さらに、ヘッド４の表側面に設けられた弾性毛３ａの軸Ｃ方向と、前記裏側面に設けられた弾性毛３ｂの軸Ｄ方向とは異なっている。つまり、ヘッド４の表側面に備わる傾斜面４ａの法線方向Ｃと、前記ヘッドの裏側面に備わる傾斜面４ｂの法線方向Ｄとは、異なっている。
このように、軸Ｃが傾斜する角度γと軸Ｄが傾斜する角度δとを敢えて異なる角度とすることで、歯根に対して弾性毛３を二方向から当てることができ、歯根を満遍なく磨くことができる。
【００２１】
弾性毛３は、樹脂製の棒状体であり、先端が窄まるとともに丸みを帯びており、ヘッド４の表面に対して垂直に設けられ、ヘッド４の表側面及びヘッド４の裏側面の両面に設けられる。
弾性毛３は、全長１０ｍｍ程度であり、そのうち２ｍｍ程度をヘッドに植える。なお、全長を５ｍｍ程度としてそのうち２ｍｍ程度をヘッドに植えてもよい。また、弾性毛３は長さの異なるものを備えてもよい。歯根用歯ブラシ１００の使用者の好みに応じて、いくつかのバリエーションがある。
【００２２】
（使用例）
以下に、歯根用歯ブラシ１００を用いた歯根の磨き方の一例を挙げる。なお、本例は一例にすぎない。
（１）上記のような歯根用歯ブラシ１００を用いて歯根を磨くには、まず、柄１を片手で握り、ヘッド４が口腔に向いた状態で柄１の軸Ａを口腔に挿入する方向に維持したままヘッド４を口腔に挿入する。
その際、折曲部２の屈曲方向を、例えば、左下の歯の内側面に対向するようにして、略水平方向にする。
（２）ヘッド４の表側面に植毛された弾性毛３ａを左下の歯の表面に押し当てながら、柄１を口腔に挿入する方向に往復させる。これにより、歯の表面に当たった弾性毛３ａが歯根の方向に誘導されるので、歯茎を傷つけずに歯の表面から歯根に至る境界を適切に磨くことができる。なお、柄１を口腔に挿入する方向に対して柄１の軸Ａを多少傾かせてもよい。
（３）次に、折曲部２の屈曲方向を維持したまま、柄１の軸Ａを水平に移動して、ヘッド４の裏側面に植毛された弾性毛３ｂが右下の歯の内側面に対向するようにする。
（４）そして、ヘッド４の裏側面に植毛された弾性毛３ｂを右下の歯の表面に押し当てながら、柄１を口腔に挿入する方向に往復させる。
（５）続いて上の歯根を磨くには、柄１の軸Ａを１８０度回転させて、折曲部２の屈曲方向を、右上の歯の内側面に対向するようにして、略水平方向にする。
（６）ヘッド４の表側面に植毛された弾性毛３ａを右上の歯の表面に押し当てながら、柄１を口腔に挿入する方向に往復させる。
（７）次に、折曲部２の屈曲方向を維持したまま、柄１の軸Ａを水平に移動して、ヘッド４の裏側面に植毛された弾性毛３ｂが左上の歯の内側面に対向するようにする。
（８）そして、ヘッド４の裏側面に植毛された弾性毛３ｂを左上の歯の表面に押し当てながら、柄１を口腔に挿入する方向に往復させる。
このようにして、歯根を簡易に磨くことができる。
【００２３】
以上、本発明の好ましい実施例について詳述したが、本発明に係る歯根用歯ブラシは上述した実施形態に限定されるものではなく、特許請求の範囲に記載された本発明の要旨の範囲内において、種々の変形、変化が可能である。
【００２４】
例えば、上記の実施形態においては、ヘッド４の表側面に設けられた弾性毛３ａの軸Ｃ方向と、ヘッド４の裏側面に設けられた弾性毛３ｂの軸Ｄ方向が、ヘッド軸Ｂ方向から視たときに、ヘッド軸Ｂと柄１の軸Ａとを含む平面に対して所定の角度γ又はδだけ傾斜するものを説明したが、これに限らず、ヘッド４の表側面に設けられた弾性毛３ａの軸Ｃ方向とヘッド４の裏側面に設けられた弾性毛３ｂの軸Ｄ方向の一方のみが、ヘッド軸Ｂ方向から視たときに、ヘッド軸Ｂと柄１の軸Ａとを含む平面に対して所定の角度δだけ傾斜するものとしてもよい。
【００２５】
本発明によれば、ヘッド４が、柄１の軸Ａに対して略４５度の角度で傾斜するヘッド軸Ｂに沿う細長平板状体であるので、歯根用歯ブラシ１００を、柄１の軸Ａを口腔に挿通する方向からあまり大きく傾けなくても、弾性毛３の軸Ｃが歯の奥の面を向き、歯をくまなく磨き易い。
【００２６】
本発明によれば、ヘッド４の表側面及び裏側面には弾性毛３が植毛されているので、例えば、ヘッド４の表側面に植毛された弾性毛３ａで左下の歯の内側を磨いた後に、柄１の軸Ａを回転させずにそのままの姿勢で歯根用歯ブラシ１００を右下の歯の内側に移動し、右下の歯の内側を磨けたり、柄１の軸Ａを９０度回転させた状態で上下の歯を同時に磨けたりするので、手の負担が軽減され、歯を磨き易い。
【００２７】
本発明によれば、弾性毛３ａの軸Ｃ及び弾性毛３ｂの軸Ｄは、ヘッド軸Ｂ方向から視たときに、ヘッド軸Ｂと柄１の軸Ａとを含む平面に対して角度γ又は角度δだけ傾斜するので、歯根用歯ブラシ１００を、柄１の軸Ａを口腔に挿通する方向からあまり大きく傾けず、柄１の表側面が歯の表面に対して平行になるような姿勢で手に持つと、弾性毛３の軸Ｃが歯根の方向に向き、その姿勢で歯の表面に弾性毛３ａを押し当てて柄１の軸Ａの方向に往復させるだけで、歯の表面を磨くのみならず、歯茎を傷つけずに歯根を適切に磨くことができる。
【００２８】
本発明によれば、弾性毛３ａの軸Ｃ及び弾性毛３ｂの軸Ｄは、ヘッド軸Ｂ方向から視たときに、ヘッド軸Ｂと柄１の軸Ａとを含む平面に対して角度γ又は角度δだけ傾斜するので、歯根用歯ブラシ１００を、柄１の表側面が歯の表面に対して平行になるような姿勢で手に持ち、歯根用歯ブラシ１００を歯の表面に向けて押圧すると、歯の表面に対して弾性毛３の軸Ｃ又は軸Ｄが垂直に当たらず、若干斜めに当たるので、歯の表面に当たった弾性毛３が歯根の方向に誘導され、歯茎を傷つけずに歯の表面から歯根に至る境界を適切に磨くことができる。
【００２９】
本発明によれば、弾性毛３ａの軸Ｃ及び弾性毛３ｂの軸Ｄは、ヘッド軸Ｂ方向から視たときに、ヘッド軸Ｂと柄１の軸Ａとを含む平面に対して角度γ又は角度δだけ傾斜するので、歯根用歯ブラシ１００を押圧する力は、歯の表面方向に全てかからず、歯根の方向にも分配され、歯の表面を傷つけることを抑制できるとともに、歯の表面と歯根の両方を磨くことができる。
【００３０】
本発明によれば、弾性毛３ａの軸Ｃ及び弾性毛３ｂの軸Ｄは、ヘッド軸Ｂ方向から視たときに、ヘッド軸Ｂと柄１の軸Ａとを含む平面に対して角度γ又は角度δだけ傾斜するので、歯を磨くときと歯根を磨くときとで軸Ａを中心にして柄１を回転する必要がなく、手に対する負担が少なく、使用者の歯磨き技術に依存することなく、歯根を磨き易い。
【００３１】
本発明によれば、ヘッド４の表側面に設けられた弾性毛３ａの軸Ｃ方向と、前記裏側面に設けられた弾性毛３ｂの軸Ｄ方向とは異なるので、柄１を１８０度反転させることで歯根に対して弾性毛３を二方向から当てることができ、歯根を満遍なく磨くことができる。
【符号の説明】
【００３２】
１      柄
２      折曲部
３      弾性毛
３ａ    弾性毛
３ｂ    弾性毛
４      ヘッド
４ａ    傾斜面
４ｂ    傾斜面
１１    柄本体
１２    延在部
１３    ネック部
１４    凸部
１５    凹部
１００  歯根用歯ブラシ
Ａ      柄の軸
Ｂ      ヘッド軸
Ｃ      軸
Ｄ      軸
γ      角度
δ      角度
【図１】
2017221602.tif 000003
【図２】
2017221602.tif 000004
【図３】
2017221602.tif 000005
【図４】
2017221602.tif 000006